(57)【要約】【課題】一回の動作で簡単に開封できるとともに、内容物を容易に取り出すことができる広口の密封容器を提供する。【解決手段】密封容器１０は、一側が開口し、他側が密閉された柔軟性材料からなる容器本体１１と、容器本体１１の一側開口１１ａに接着されるとともに容器本体１１と別体に設けられ、容器本体１１の一側開口１１ａの形状を定める硬質材料からなる保形リング１２と、保形リング１２に装着され、容器本体１１の一側開口１１ａを密封するキャップ１３とを備えている。このうちキャップ１３は、保形リング１２に嵌合するキャップ本体１３ｂと、キャップ本体１３ｂと保形リング１２との間に介在された中蓋１６とを有している。この中蓋１６は、保形リング１２の開口全域を覆う上面部１６ａと、上面部１６ａから上方に延びかつキャップ本体１３ｂ内に収まるプルリング１６ｂとを有している。【選択図】図１
2008062949.tif 000002
【特許請求の範囲】
【請求項１】
一側が開口し、他側が密閉された柔軟性材料からなる容器本体と、
容器本体の一側開口に接着されるとともに容器本体と別体に設けられ、容器本体の一側開口の形状を定める硬質材料からなる保形リングと、
保形リングに装着され、容器本体の一側開口を密封するキャップとを備え、
キャップは保形リングに嵌合するキャップ本体と、キャップ本体と保形リングとの間に介在された中蓋とを有し、
この中蓋は、保形リングの開口全域を覆う上面部と、上面部から上方に延びかつキャップ本体内に収まるプルリングとを有することを特徴とする密封容器。
【請求項２】
保形リングは垂直断面Ｌ字形状を有し、このＬ字形状は、容器本体内面側の垂直部と、この垂直部から外方へ突出する水平部とからなることを特徴とする請求項１に記載の密封容器。
【請求項３】
保形リングの垂直部の下端内側に、垂直部の内径が下方に向って拡大するテーパー部が形成されていることを特徴とする請求項２に記載の密封容器。
【請求項４】
保形リングの垂直部は、０．３ｍｍ乃至２．０ｍｍの肉厚を有することを特徴とする請求項２に記載の密封容器。
【請求項５】
容器本体の開口は、円形状または楕円形状をなしていることを特徴とする請求項１に記載の密封容器。
【請求項６】
キャップのキャップ本体は、保形リングの水平部を側方から覆う囲み部を有し、この囲み部内側に、保形リングの水平部と嵌合する突起部が設けられていることを特徴とする請求項２に記載の密封容器。
【請求項７】
キャップの中蓋の上面部は、保形リングの水平部に超音波シールにより接着されていることを特徴とする請求項２に記載の密封容器。
【請求項８】
キャップの中蓋の上面部に、保形リング開口と同一形状または若干小さい形状の周縁に沿って容易に破断可能な薄肉部が形成され、中蓋の上面部は、プルリングを引上げた際にこの薄肉部に沿って切り取られることを特徴とする請求項１に記載の密封容器。
【請求項９】
キャップの中蓋の上面部は、アルミニウムを含む多層フィルム構造からなることを特徴とする請求項１に記載の密封容器。
【請求項１０】
キャップのキャップ本体は、曲げ弾性率が８００ＭＰａ以下の合成樹脂からなることを特徴とする請求項１に記載の密封容器。
【請求項１１】
キャップ本体の内側に、開封後の中蓋を取り付けるためのリブが設けられていることを特徴とする請求項１に記載の密封容器。
【請求項１２】
容器本体の一側開口に接着されるとともに容器本体と別体に設けられ、容器本体の一側開口の形状を定める硬質材料からなる保形リングと、
保形リングに装着され、容器本体の一側開口を密封するキャップとを備え、
キャップは保形リングに嵌合するキャップ本体と、キャップ本体と保形リングとの間に介在された中蓋とを有し、
この中蓋は、保形リングの開口全域を覆う上面部と、上面部から上方に延びかつキャップ本体内に収まるプルリングとを有することを特徴とするキャップ装置。
【発明の詳細な説明】
【技術分野】
【０００１】
本発明は、飲料やジェル状液体等の内容物が充填される密封容器およびこの密封容器のキャップ装置に係り、とりわけ一回の動作で簡単に開封できるとともに、リクローズ（キャップを再度容器本体に被せること）の際にごみが発生しない広口の密封容器およびキャップ装置に関する。
【背景技術】
【０００２】
従来より、飲料等の内容物を密封して収容する容器が広く用いられている。このような容器は、一般に、容器本体に蓋材をヒートシールにより固着し、この蓋材の上方からオーバーキャップを打栓することにより製造されている。
【０００３】
このような容器は、上述したように容器本体、蓋材、およびオーバーキャップからなる３つの部材から構成されている。したがって、この容器を開封する際には、まずオーバーキャップを取外し、次に蓋材を開封するという２段階の操作が必要となる。一方、容器の開封後、容器の内容物を残してリクローズ（キャップを再度容器本体に被せること）する場合、オーバーキャップを直接容器本体に被せて取り付ける。この場合、蓋材を再度容器本体に取り付けることができないため、蓋材はごみとして廃棄される。
【０００４】
また、特許文献１には、飲食物等の内容物を収容する容器（シールガゼット袋）が開示されている。この容器は、上部中央に反復して開閉可能な注出口を有しており、この注出口から内容物を吸い出すことが出来るようになっている。しかしながら、このような注出口は比較的直径が狭いため、内容物に固形分を多く含む場合など、内容物を十分に吸い出せない場合がある。
【特許文献１】特開平１０−５９３８８号公報
【発明の開示】
【発明が解決しようとする課題】
【０００５】
本発明はこのような点を考慮してなされたものであり、一回の動作で簡単に開封できるとともに、内容物を容易に取り出せる広口の密封容器およびキャップ装置を提供することを目的とする。
【課題を解決するための手段】
【０００６】
本発明は、一側が開口し、他側が密閉された柔軟性材料からなる容器本体と、容器本体の一側開口に接着されるとともに容器本体と別体に設けられ、容器本体の一側開口の形状を定める硬質材料からなる保形リングと、保形リングに装着され、容器本体の一側開口を密封するキャップとを備え、キャップは保形リングに嵌合するキャップ本体と、キャップ本体と保形リングとの間に介在された中蓋とを有し、この中蓋は、保形リングの開口全域を覆う上面部と、上面部から上方に延びかつキャップ本体内に収まるプルリングとを有することを特徴とする密封容器である。
【０００７】
本発明は、保形リングは垂直断面Ｌ字形状を有し、このＬ字形状は、容器本体内面側の垂直部と、この垂直部から外方へ突出する水平部とからなることを特徴とする密封容器である。
【０００８】
本発明は、保形リングの垂直部の下端内側に、垂直部の内径が下方に向って拡大するテーパー部が形成されていることを特徴とする密封容器である。
【０００９】
本発明は、保形リングの垂直部は、０．３ｍｍ乃至２．０ｍｍの肉厚を有することを特徴とする密封容器である。
【００１０】
本発明は、容器本体の開口は、円形状または楕円形状をなしていることを特徴とする密封容器である。
【００１１】
本発明は、キャップのキャップ本体は、保形リングの水平部を側方から覆う囲み部を有し、この囲み部内側に、保形リングの水平部と嵌合する突起部が設けられていることを特徴とする密封容器である。
【００１２】
本発明は、キャップの中蓋の上面部は、保形リングの水平部に超音波シールにより接着されていることを特徴とする密封容器である。
【００１３】
本発明は、キャップの中蓋の上面部に、保形リング開口と同一形状または若干小さい形状の周縁に沿って容易に破断可能な薄肉部が形成され、中蓋の上面部は、プルリングを引上げた際にこの薄肉部に沿って切り取られることを特徴とする密封容器である。
【００１４】
本発明は、キャップの中蓋の上面部は、アルミニウムを含む多層フィルム構造からなることを特徴とする密封容器である。
【００１５】
本発明は、キャップのキャップ本体は、曲げ弾性率が８００ＭＰａ以下の合成樹脂からなることを特徴とする密封容器である。
【００１６】
本発明は、キャップ本体の内側に、開封後の中蓋を取り付けるためのリブが設けられていることを特徴とする密封容器である。
【００１７】
本発明は、容器本体の一側開口に接着されるとともに容器本体と別体に設けられ、容器本体の一側開口の形状を定める硬質材料からなる保形リングと、保形リングに装着され、容器本体の一側開口を密封するキャップとを備え、キャップは保形リングに嵌合するキャップ本体と、キャップ本体と保形リングとの間に介在された中蓋とを有し、この中蓋は、保形リングの開口全域を覆う上面部と、上面部から上方に延びかつキャップ本体内に収まるプルリングとを有することを特徴とするキャップ装置である。
【発明の効果】
【００１８】
本発明によれば、密封容器が蓋材を有していないので、容器本体内の内容物を取り出す際、一回の動作で簡単に密封容器を開封することができる。
【００１９】
また、本発明によれば、保形リングは、容器本体内面側の垂直部と、この垂直部から外方へ突出する水平部とからなっているので、保形リング内部に突出する箇所が存在せず、容器本体から内容物を容易に取り出すことができる。
【００２０】
さらに、本発明によれば、保形リングの垂直部の下端内側に垂直部の内径が下方に向って拡大するテーパー部が形成されているので、保形リング内部に突出する箇所が存在せず、容器本体から内容物を容易に取り出すことができる。
【００２１】
さらにまた、本発明によれば、キャップの内側に保形リングの水平部と嵌合する突起部が設けられているので、キャップを保形リングに取り付けて密封容器をリクローズすることができる。
【００２２】
さらにまた、本発明によれば、キャップの中蓋の上面部は、保形リングの水平部に超音波シールにより接着されているので、熱シールを用いる場合と異なり、中蓋の上面部の厚さが厚い場合（例えば０．５ｍｍ以上）であっても中蓋の上面部を保形リングに容易に取り付けることができる。
【００２３】
さらにまた、本発明によれば、キャップの中蓋の上面部に容易に破断可能な薄肉部が形成されているので、容器本体内の内容物を取り出す際、簡単に密封容器を開封することができる。
【００２４】
さらにまた、本発明によれば、キャップの中蓋の上面部は、アルミニウムを含む多層フィルム構造からなっているので、内容物の密封性やバリアー性を高めることができ、内容物を外部から保護して内容物の腐敗を防止することができる。
【００２５】
さらにまた、本発明によれば、キャップ本体は、曲げ弾性率が８００ＭＰａ以下のオレフィン系合成樹脂からなり、好ましくは曲げ弾性率が３００ＭＰａ以下の合成樹脂からなっているので、キャップを保形リングから容易に取り外すことができる。
【００２６】
さらにまた、本発明によれば、キャップ本体の内側に、開封後の中蓋を取り付けるためのリブが設けられているので、密封容器をリクローズする際に中蓋をごみとして廃棄する必要がない。
【発明を実施するための最良の形態】
【００２７】
以下、本発明の一実施の形態について、図１乃至図５を参照して説明する。
ここで、図１は、本発明の一実施の形態を示す斜視図であり、図２は、本発明の一実施の形態を示す垂直断面図である。また、図３は、図２のＡ部拡大図であり、図４は、キャップを取り外した状態における容器本体および保形リングの斜視図である。また、図５は、キャップ本体に中蓋を取り付ける方法を示す斜視図である。
【００２８】
まず、図１乃至図５により、本実施の形態による密封容器の概略について説明する。
図１、図２および図４に示すように、密封容器１０は、一側が開口し、他側が密閉された（符号１１ｂ）柔軟性材料からなる容器本体１１と、容器本体１１の一側開口１１ａに接着されるとともに容器本体１１と別体に設けられ、容器本体１１の一側開口１１ａの形状を定める円筒状の保形リング１２とを備えている。
【００２９】
なお、保形リング１２は、後述のように、容器本体１１と比較して硬質材料から形成されている。また、容器本体１１の開口１１ａは、円形状または楕円形状をなしている。また、保形リング１２に、容器本体１１の一側開口１１ａを密封するキャップ１３が装着されている。このキャップ１３は、保形リング１２に嵌合するキャップ本体１３ｂと、キャップ本体１３ｂと保形リング１２との間に介在された中蓋１６とを有している。このうち中蓋１６は、保形リング１２の開口全域を覆う上面部１６ａと、上面部１６ａから上方に延びかつキャップ本体１３ｂ内に収まるプルリング１６ｂとを有している。
【００３０】
また、中蓋１６の上面部１６ａに、保形リング１２の開口と同一形状の周縁に沿ってあるいは保形リング１２の開口より若干小さい形状の周縁に沿って、容易に破断可能な薄肉部１６ｃが形成されている。すなわち、中蓋１６の上面部１６ａは、プルリング１６ｂを引上げた際にこの薄肉部１６ｃに沿って切り取られるようになっている。
【００３１】
また、図２に示すように、保形リング１２とキャップ１３とを組合わせてキャップ装置１４が構成される。このキャップ装置１４において、保形リング１２およびキャップ１３の構成は、密封容器１０における保形リング１２およびキャップ１３の構成と同様である。
【００３２】
ところで、図３に示すように、保形リング１２は垂直断面Ｌ字形状を有している。この保形リング１２のＬ字形状は、容器本体１１内面側の垂直部１２ａと、この垂直部１２ａから外方へ突出する水平部１２ｂとからなっている。保形リング１２の垂直部１２ａは、容器本体１１の一側開口１１ａの内周面に全周にわたって固着されている。さらに、保形リング１２の垂直部１２ａの下端内側に、垂直部１２ａの内径が下方に向って徐々に拡大するテーパー部１２ｃが形成されている。このテーパー部１２ｃは、容器本体１１内から内容物を取り出す際、保形リング１２の垂直部１２ａ下端に内容物が引っ掛かるのを防止する役割を果たす。
【００３３】
なお、保形リング１２は、上述したように容器本体１１と比較して硬質の材料からなっているが、保形リング１２を押圧して容器本体１１内の内容物を取り出せる程度に柔軟性を有している。また保形リング１２は、後述するように保形リング１２と中蓋１６の上面部１６ａとを超音波シールにより固着できるように、熱により溶解しやすい材質からなっている。
【００３４】
さらに、保形リング１２の垂直部１２ａは、０．３ｍｍ乃至２．０ｍｍの肉厚Ｗを有することが好ましい。この肉厚Ｗが０．３ｍｍを下回ると、垂直部１２ａの強度が不足する。他方、肉厚Ｗが２．０ｍｍを上回ると、保形リング１２が硬くなり、容器本体１１および保形リング１２を押圧して容器本体１１内の内容物を取り出すのが難しくなる。
【００３５】
このような構成からなる容器本体１１は、例えば層構成が、ＰＥ／ＰＥＴ／インキ層／ドライラミネート層（ＤＬ）／ＡＬ／ＰＥという構成からなり、またはＰＥ／透明蒸着ＰＥＴ／ＰＥという構成からなるラミネートチューブが用いられる。または、容器本体１１は、多層押し出しチューブ（例えば層構成がＰＥ／ＥＶＯＨ／ＰＥからなる）であっても良い。
【００３６】
他方保形リング１２は、例えば高密度ポリエチレン（以下ＨＤＰＥともいう）、低密度ポリエチレン樹脂（以下ＬＤＰＥともいう）、または直鎖状低密度ポリエチレン樹脂（以下ＬＬＤＰＥともいう）からなっており、射出成形、コンプレッション成形等により成型加工される。保形リング１２と容器本体１１との接着方法としては、保形リング１２を成形する金型に本体容器１１をインサートし、成形と同時に接着するインサート成形方法や、予め保形リング１２を成形しておき、容器本体１１と熱接着で取り付ける方法でも良い。
【００３７】
また、キャップ１３の中蓋１６の上面部１６ａは、アルミニウムを含む多層フィルム構造からなり、例えば層構成が、ＰＥ／ＡＬ／ＰＥという構成からなっている。さらに、図３に示すように、キャップ本体１３ｂは、天板１３ｄと、天板１３ｄの周縁部から下方へ延び、保形リング１２の水平部１２ｂを側方から覆う囲み部１３ｋとを含んでいる。この囲み部１３ｋの内側に、保形リング１２の水平部１２ｂと嵌合する突起部１３ａが設けられている。また、図３および図５に示すように、キャップ本体１３ｂの天板１３ｄの内側に、薄肉部１６ｃに沿って中蓋１６を切り取って開封した後、この中蓋１６を取り付けるためのリブ１３ｃが４箇所設けられている。
【００３８】
また、キャップ本体１３ｂは、曲げ弾性率が８００ＭＰａ以下、好ましくは３００ＭＰａ以下の比較的軟らかいオレフィン系合成樹脂、例えばＬＤＰＥやＬＬＤＰＥからなっている。
【００３９】
ところで上述したように、中蓋１６の上面部１６ａは、図３の符号１５の位置で、保形リング１２の水平部１２ｂに超音波シールにより固着されている。この場合、中蓋１６の上面部１６ａは、円周方向全周に延びる超音波シール部１５において保形リング１２に固着されているため、保形リング１２と中蓋１６の上面部１６ａとの密封性を高めることができる。なお、超音波シールとは、超音波により保形リング１２と中蓋１６の上面部１６ａとを振動させ、この際生じる摩擦熱により保形リング１２を溶解させて保形リング１２と中蓋１６の上面部１６ａとを固着させる方法である。
【００４０】
次に、このような構成からなる本実施の形態の作用について述べる。
まず、図２に示す密封容器１０において、キャップ１３を容器本体１１に対して斜めに引上げることにより、キャップ１３の突起部１３ａと保形リング１２の水平部１２ｂとの嵌合が解除され、キャップ１３が保形リング１２から取外される。
【００４１】
次に、中蓋１６のプルリング１６ｂを引上げると、プルリング１６ｂと一体となった上面部１６ａが保形リング１２の水平部１２ｂから引き離されて密封容器１０が開封される。すなわち、超音波シールにより固着された中蓋１６の上面部１６ａは、超音波シール部１５を介して円周方向全周に渡って保形リング１２の水平部１２ｂに堅固に固着されている。また、上述したように、中蓋１６の上面部１６ａに、保形リング１２の開口と同一形状の周縁に沿って、あるいは若干小さい形状の周縁に沿って容易に破断することができる薄肉部１６ｃが形成されている。したがって、この上面部１６ａは、プルリング１６ｂを引上げた際に薄肉部１６ｃに沿って切り取られる。この場合、中蓋１６の上面部１６ａのうち、薄肉部１６ｃより外側の部分は保形リング１２の水平部１２ｂ側に残り、上面部１６ａの他の部分はプルリング１６ｂとともに保形リング１２から離れる。このようにして、中蓋１６は保形リング１２から引き離される。この間、保形リング１２の垂直部１２ａは容器本体１１の外面と比較的強く固着されているため、保形リング１２が容器本体１１から外れることはない。
【００４２】
次に、容器本体１１の側面を手で押圧することにより、容器本体１１の一側開口１１ａから内容物を取り出す。この際、保形リング１２も変形して内容物を容易に取り出すことができる。
【００４３】
次に、仮に容器本体１１内に内容物の一部が残存している場合等、キャップ１３を保形リング１２に被せてリクローズし、内容物を保存する方法について述べる。
まず、図５に示すように、取外されたキャップ本体１３ｂを裏側に向け、薄肉部１６ｃに沿って切り取られた中蓋１６をキャップ本体１３ｂに嵌合させる。この場合、キャップ本体１３ｂの天板１３ｄの内側に、中蓋１６を取り付けるためのリブ１３ｃが設けられているので、中蓋１６の上面部１６ａをリブ１３ｃに嵌合させて中蓋１６をキャップ本体１３ｂに取り付けることができる。
【００４４】
次に、このようにして一体化されたキャップ本体１３ｂと中蓋１６とを保形リング１２に被せる。この場合、保形リング１２の水平部１２ｂがキャップ１３の突起部１３ａと嵌合する。これにより、キャップ本体１３ｂが中蓋１６と一体となって保形リング１２に取り付けられ、密閉容器１０をリクローズすることができる。
【００４５】
このように、本実施の形態によれば、密封容器１０は蓋材を有していないので、容器本体１１内の内容物を取り出す際、一回の動作で簡単に密封容器１０を開封することができる。
【００４６】
また、本実施の形態によれば、保形リング１２は、容器本体１１内面側の垂直部１２ａと、この垂直部１２ａから外方へ突出する水平部１２ｂとからなっているので、保形リング１２内部に突出する箇所が存在せず、容器本体１１から内容物を容易に取り出すことができる。
【００４７】
さらに、本実施の形態によれば、保形リング１２の垂直部１２ａの下端内側に、垂直部１２ａの内径が下方に向って拡大するテーパー部１２ｃが形成されているので、容器本体１１から内容物を容易に取り出すことができる。
【００４８】
さらにまた、本実施の形態によれば、キャップ１３の内側に、保形リング１２の水平部１２ｂと嵌合する突起部１３ａが設けられているので、キャップ１３を保形リング１２に取り付けて密封容器１０をリクローズすることができる。
【００４９】
さらにまた、本実施の形態によれば、キャップ１３の中蓋１６の上面部１６ａは、保形リング１２の水平部１２ｂに超音波シールにより接着されているので、熱シールを用いる場合と異なり、中蓋１６の上面部１６ａの厚さが厚い場合（例えば０．５ｍｍ以上）であっても中蓋１６の上面部１６ａを保形リング１２に容易に取り付けることができる。
【００５０】
さらにまた、本実施の形態によれば、キャップ１３の中蓋１６の上面部１６ａに容易に破断可能な薄肉部１６ｃが形成されているので、容器本体１１内の内容物を取り出す際、簡単に密封容器１０を開封することができる。
【００５１】
さらにまた、本実施の形態によれば、キャップ１３の中蓋１６の上面部１６ａは、アルミニウムを含む多層フィルム構造からなっているので、内容物の密封性やバリアー性を高めることができ、内容物を外部から保護して内容物の腐敗を防止することができる。
【００５２】
さらにまた、本実施の形態によれば、キャップ本体１３ｂは、曲げ弾性率が８００ＭＰａ以下のオレフィン系合成樹脂からなっているので、キャップ１３を保形リング１２から容易に取り外すことができる。
【００５３】
さらにまた、本発明によれば、キャップ本体１３ｂの内側に、開封後の中蓋１６を取り付けるためのリブ１３ｃが設けられているので、密封容器１０をリクローズする際に中蓋１６をごみとして廃棄する必要がない。
【図面の簡単な説明】
【００５４】
【図１】本発明による密封容器の一実施の形態を示す斜視図。
【図２】本発明による密封容器の一実施の形態を示す垂直断面図。
【図３】図２のＡ部拡大図。
【図４】キャップを取り外した状態における容器本体および保形リングの斜視図。
【図５】キャップ本体に中蓋を取り付ける方法を示す斜視図。
【符号の説明】
【００５５】
１０    密封容器
１１    容器本体
１１ａ  一側開口
１２    保形リング
１２ａ  垂直部
１２ｂ  水平部
１２ｃ  テーパー部
１３    キャップ
１３ａ  突起部
１３ｂ  キャップ本体
１３ｃ  リブ
１３ｄ  天板
１３ｋ  囲み部
１４    キャップ装置
１５    超音波シール部
１６    中蓋
１６ａ  上面部
１６ｂ  プルリング
１６ｃ  薄肉部
【図１】
2008062949.tif 000003
【図２】
2008062949.tif 000004
【図３】
2008062949.tif 000005
【図４】
2008062949.tif 000006
【図５】
2008062949.tif 000007